(57)【要約】安定翼弾用のテール部分（１）は、傾斜した、少なくとも２つの展開可能なフィン（３）を含む。フィン（３）は少なくとも２つのセクション（２）に配置され、軸方向に互いに隣り合って配置される。それぞれのセクション（２）は、少なくとも２つのフィン（３）を含み、１つのおよび同じセクション（２）の一部を形成するフィン（３）は、セクション（２）の一部を形成するフィン（３）が接続された連結部材（４）の手段により対称的に展開可能である。
2021502534.tif 000002
【特許請求の範囲】
【請求項１】
安定翼弾用のテール部分（１）であって、傾斜した、少なくとも２つの展開可能なフィン（３）を含み、
フィン（３）は少なくとも２つのセクション（２）に配置され、軸方向に互いに隣り合って配置されることを特徴とするテール部分（１）。
【請求項２】
それぞれのセクション（２）は、少なくとも２つのフィン（３）を含むことを特徴とする請求項１に記載のテール部分（１）。
【請求項３】
１つのおよび同じセクション（２）の一部を形成するフィン（３）は、セクション（２）の一部を形成するフィン（３）が接続された、連結部材（４）の手段により対称的に展開可能なことを特徴とする請求項２に記載のテール部分（１）。
【請求項４】
異なるセクション（２）の連結部材（４）は、他から独立であることを特徴とする請求項３に記載のテール部分（１）。
【請求項５】
展開前に、それぞれのフィン（３）は凸状のベアリング表面（５）を抱え、弾丸の半径により規定される円筒形で周囲を囲む表面の内部に延びることを特徴とする請求項１〜４のいずれかに記載のテール部分（１）。
【請求項６】
それぞれのベアリング表面（５）は、その頂点（１４）が弾丸の中心軸からずれた、観念上の円錐（１３）の外部表面の一部と一致することを特徴とする請求項５に記載のテール部分（１）。
【請求項７】
異なったベアリング表面（５）は、その頂点（１４）が互いに関連して配置された、異なった観念上の円錐（１３）の外部表面と一致することを特徴とする請求項６に記載のテール部分（１）。
【請求項８】
展開前に、ベアリング表面（５）に向かう所定の場所にフィン（３）を保持するために、円筒形のスリーブがフィン（３）の上に配置されることを特徴とする請求項５〜７のいずれかに記載のテール部分（１）。
【請求項９】
円筒形のスリーブは、フィンのセクション（２）から軸方向に引き抜くことができることを特徴とする請求項８に記載のテール部分（１）。
【請求項１０】
円筒形のスリーブは、少なくとも弾丸の一部を覆うカートリッジケースの一部であることを特徴とする請求項８または９に記載のテール部分（１）。
【請求項１１】
少なくとも２つのセクション（２）の一部を形成するフィン（３）が、弾丸の周囲にグループとして配置されることを特徴とする請求項１〜１０のいずれかに記載のテール部分（１）。
【請求項１２】
異なるセクション（２）の一部を形成するフィン（３）が、弾丸の周囲に均等に分配されることを特徴とする請求項１〜１０のいずれかに記載のテール部分（１）。
【請求項１３】
フィン（３）の前方のエッジが傾斜していることを特徴とする請求項１〜１２のいずれかに記載のテール部分（１）。
【発明の詳細な説明】
【技術分野】
【０００１】
本発明は、傾斜した、少なくとも２つの展開型フィンを含む、安定翼弾（fin-stabilized projectile）用のテール部分に関する。
【背景技術】
【０００２】
様々な軍事関連で使用される多くのタイプの弾丸の中で、安定翼弾は、弾丸の重要なサブグループに入る。安定翼は、例えばスムースボアの砲身を用いて発射される砲弾のために使用される。安定翼は、弾丸の弾道を安定化させ、さらに例えばフィン傾斜によって弾丸がその長軸の回りで回転する場合、より安定する。所定の応用では、例えばフィンを含む後方部分のような弾丸の一部のみが回転し、弾丸の残りが全く回転しない、または遅く回転するような場合でも十分である。回転は、また、弾丸の均等でない外部の対称性または均等でない重さ分散を補償することができる。回転は、フィンの傾斜角度に関連して増加する。
【０００３】
弾丸の弾道の安定性を提供する回転は、例えば、ＳＥ５０８６５２に開示された、近接信管の助けを借りて、周囲の状況の有効走査を弾丸が行うために使用される。回転は、一部は弾丸の弾道により決定され、一部は弾丸の回転により決定されるらせん軌道に沿って、近接信管が周囲の状況を走査することを意味し、これは砲弾の弾道に重ねられてきた。
【０００４】
ＳＥ５０８６５２は、どのように回転するかについては詳細に述べていない。一方、弾丸のテール部分でどのようにフィンが配置されるかに関しては、多数の文献がある。
【０００５】
フィンは、一般に、弾丸の後方部分で、弾丸の周囲にリング状に配置される。それらは、展開した位置で、湾曲または平坦である。対称的な配置の平坦なフィンの典型的な例は、ＳＥ５０８６５２に示されている。
【０００６】
フィンの特徴およびその弾丸への影響は、それらの取り付け面積により、大きな程度決定される。しかしながら、発射中には閉じた位置にフィンを配置し、発射後はそれらが展開した位置になることが可能に違いないという事実により、この面積は限定される。結合されたフィン面積は、フィンが互いに重ならない限り、テール部分の円周に、長手方向のフィンの長さを掛け合わせたものより通常大きくはならない。重なったフィンは、問題なくフィンを展開させるためには、特別の設計手段を必要とする。このように従来技術は、傾斜し、かつ重なったフィンの例を示すものではない。フィンの傾斜は、それゆえに全フィン面積に制限的な影響を有する。
【課題の定義】
【０００７】
目的は、それゆえに、フィンの傾斜のような他の設計手段の可能性を保持すると共に、フィン面積の最大化を提供することである。
【課題の解決】
【０００８】
導入部で示したテール部分が、フィンが少なくとも２つのセクションに配置され、これらは軸方向に互いに隣り合って配置されることを特徴とする場合に、本発明が基づく目的が達成される。
【０００９】
さらに一つまたはそれ以上の下位の特許請求の範囲にかかる一つまたはそれ以上の特徴が与えられた場合に、さらなる長所が達成される。
【図面の簡単な説明】
【００１０】
本発明は、添付の図面を参照しながら記載される。
【００１１】
【図１】本発明にかかるテール部分の具体例の斜視図を示す。
【図２】図１のテール部分の側面図を示す。
【図３】図１のテール部分の端面図を示す。
【図４ａ】図１のテール部分の断面図を示す。
【図４ｂ】テール部分の他の具体例の断面図を示す。
【図５ａ】特にフィンが省略された本発明のテール部分の模式的な斜視図を示す。
【図５ｂ】本発明のテール部分の一部を形成するベアリング表面の形状を示す、第１の基本図形を示す。
【図５ｃ】ベアリング表面の形状を示す第２の基本図形を示す。
【好ましい具体例】
【００１２】
図１は、砲弾等のような弾丸用の本発明にかかるテール部分を示す。弾丸はその全体は示されていないが、本発明の主題であるテール部分が示されている。弾丸の他の部分は、当業者に知られたいずれかの設計により形成することができる。
【００１３】
好適な具体例では、テール部分１は、２つのセクションに分けられ、テール部分１および弾丸の長手方向に互いに隣り合うように配置される。換言すれば、弾丸の移動の観念上の方向に見た場合、セクション２は一方が他方の後ろに配置される。
【００１４】
好適な具体例では、それぞれのセクション２は３つのフィンを有するが、異なるフィン３の数を有する他の具体例は、本発明のコンセプトの範囲内に明らかに含まれる。フィン３は、図１に示すような展開位置と、またベアリング表面５に向かって閉じられた閉じた位置を有する。閉じた位置は、発射される前において、弾丸は収納され、運搬され、挿入される間、評価される。好適な具体例では、フィン３は、弾丸の製造中に制定される、重なった円筒形のスリーブ、またはフード（図示せず）の助けにより閉じた位置に保持される。発射に関しては、スリーブは除去され、フィン３は展開位置と推測される。
【００１５】
それぞれのセクション２は、また操縦リング４の形状の結合部材を有し、これは、セクション２の中のフィン３を共に機能的に接続させる。異なるセクション２の結合部材４は、互いに独立である。
【００１６】
フィン３の外径および外部設計は、当業者が親しみ、適当と思う範囲内で変えうる。フィン面積の大きさに加えて、弾丸の中心からのフィンの最大長さは、弾丸の特徴について重要である。図１に示される具体例では、フィン３は、弾丸の長手方向に対して所定の角度で傾斜している。それぞれのフィン３は、ベアリング表面５に沿って、周方向の次のフィン３まで、これに重なること無く、可能な限り閉じた位置で延びる。ベアリング表面５は、それぞれのフィン３の面積に対応する面積を有する。フィン３の大きさは、ベアリング表面５の大きさにより制限され、フィン面積３の最大化に対してフィン面積はベアリング表面５の全体の面積に対応する。フィン３の前方エッジは、移動の観念上の方向で、弾丸の空気抵抗を減らすために、１つの具体例では傾斜している。
【００１７】
それぞれのベアリング表面５は、それゆえに可能な限り広くすべきである。弾丸の最大半径により規定され、弾丸の発射前の重なる円筒形のスリーブに対応する、観念的な円筒形の外部表面内で、可能な限り広いベアリング表面５の余地を形成するために、それぞれのベアリング表面５は、凸状で、観念的な円筒形の外部表面内で空間の内部に延びる。ベアリング表面５が、観念上の円筒形で、取り囲む表面に沿って配置された場合、ベアリング表面５の面積はより大きくなる。１つまたはそれ以上のセクション２が、テール部分１の上で続いて配置されるため、全フィン面積は、フィン３を有する１つのセクション２のみがテール部分１の上に配置される場合より、大きくなる。１つのセクションの代わりに、２つまたはそれ以上のセクション２を続いて配置した結果、全フィン面積を一定に保ったまま、弾丸の中央からのフィンの最大長さの増加が任意的に達成され、これは当業者に、これにより弾丸の特徴について取り組むチャンスを与える。
【００１８】
ベアリング表面５の湾曲により、その周囲でそれぞれのフィン３が旋回可能なそれぞれのシャフト６が、ベアリング表面５の中に、または実質的に平行に配置される。シャフト６は、図２に得に良く見えるように、弾丸の長手方向に対して傾いており、フィン３の所望の傾斜を達成する。同時に、好適な具体例では、シャフト６は観念上の円筒形の外部表面に対して実質的に平行である。ベアリング表面５の湾曲は、図５ａ〜５ｃを参照してより詳細に説明される。
【００１９】
ベアリング表面５の湾曲は、またシャフト６から遠ざかる方向で、観念上の円筒形の包含する表面に次第に近づく。組み合わされた回転シャフト６から見てベアリング表面５の最も遠い端部では、ベアリング表面５は観念上の包含する表面に到達し、そこで円筒部分７に組み込まれる。ベアリング表面５に向かって留められた場合にフィン３の過剰に過酷な曲げを防止するために、好適な具体例では対応する領域に、切縮めた角部９を有する。展開状態でフィン３が可能な限り広くなることを望む場合であっても、示された具体例の、切縮めた角部９は、大きなフィン面積と、発射中に弾丸に向かってフィン３を閉じる可能性との間で妥協される。
【００２０】
フィン３は弾性のある材料から形成され、弾丸の発射で覆われたスリーブが除去された時に元の展開した形状に素早く戻る。
【００２１】
上述の操縦リング４は、１つまたは同じセクション２のフィン３を結びつける。弾丸の発射で、取巻くスリーブがセクションから剥がされた場合、少なくとも１つのフィン３が、材料の弾性により展開する。これにより、シャフト６の回りでフィン３が回転し、好適にはそれぞれのシャフト６はその端部に小さな歯車８を備えるため、操縦リング４は近道で回転する。歯車８は操縦リング４と噛み合って、シャフト６の回転運動はこの方法で操縦リング４に伝えられる。続いて操縦リング４はその回転運動を他のシャフト６に伝え、そのシャフトのフィン３はまた展開を開始するであろう。連結の結果として、展開が同時に起こり、幾分かより大きな展開傾向にあるフィン３は、他のフィン３を加速させ、幾分より遅い展開のフィン３は、少しプロセスの速度を遅くする。展開の同時性は、また、弾丸の安定性が制御され、予測できることを意味する。
【００２２】
外部スリーブは一般に軸方向に引っ張られるため、１つのセクション２が一度に露出することが期待できる。フィン３の展開は、セクション２が露出する順番で起きる。セクション２とそれらの操縦リング４は連結されず、記載されたフィン展開の同時性が、制御された方法でセクションにより起きる。
【００２３】
図３では、テール部分１が、その後端部から見られる。この図では、図１、２にも示されたフィンが、好適な具体例では、テール部分１の周囲の上に均等に分配されることが明らかに分かる。これは、好適な具体例で選択されたフィンシャフト６の配置の結果である。これが目標に向かう弾道にある時に、それが弾丸の他の所望の特徴を提供した場合、この分野の当業者は、ルーチンテストの後、フィンシャフトの他の配置を選択することができる。
【００２４】
図４ａおよび４ｂは、テール部分１の２つの異なる変形の断面図を示す。図４ａの変形は、自由回転テール部分１であり、テール部分１の外部部分１１が、内部シャフト１２の上に回転可能に配置され、それゆえに弾丸の残りの部分に対して回転可能に配置される。内部シャフト１２に対する外部部分１１の回転性は、当業者に知られた他の方法が想像できるとしても、好適にはボールベアリング１０の助けにより達成される。図４ｂは、固定されテール部分を示す。固定されたおよび自由回転のテール部分１の双方を使用することは、それ自体は、既に当業者に知られている。本発明にかかるテール部分１は、固定または自由回転の方法のいずれに配置されても、他の部分は実質的に同じ形状である。
【００２５】
図５ａ〜５ｃは、ベアリング表面５はどのように形成されるかを記載する。図５ａにおいて、テール部分１は、単純化した形態で記載され、２つのセクション２の上の双方のフィン３、それらのシャフト６、および操縦リング４は、ベアリング表面５が可能な限り明確に見えるように除去されている。図５ａの左では、上部および下部のベアリング表面５の双方が、円筒形の外部の輪郭から所定の距離に配置されることが分かる。図５ａの右方向に、それぞれのベアリング表面５と外部の輪郭との間の距離は、漸次小さくなる。ベアリング表面５が外部の輪郭に到達した場合、それは円筒形の表面部分７に併合される。同時に、それぞれのベアリング表面５は、円筒形の外部の輪郭から離れて内方に傾き、その面積は可能な限り大きくなる。それぞれのベアリング表面５は、観念上の円錐の外部表面と一致する。
【００２６】
しかしながら観念上の円錐１３は、異なるベアリング表面５に対して、異なる。図５ｂにはそのような円錐１３が示され、どのようにそれぞれのベアリング表面５がその形状となるかを示す。観念上の円錐１３の頂点１４は、テール部分１の中央に対して横方向にずらされる。この結果、円錐１３の外部表面は、テール部分１の中央に対して、および円筒形の外部の輪郭の双方に対して、非対称になる。円錐１３の中心線は、弾丸の中心線に平行であるが、多くの具体例では一定の角度を有するようになる。観念上の円錐１３の計算に関するそれらの測定を通して、外部表面の一部と一致するベアリング表面５もまた、円筒形の外部の輪郭に対して非対称に配置される。
【００２７】
同じセクション２に配置されたベアリング表面５、および異なるセクション２に配置されたベアリング表面５の双方で、ベアリング表面５のそれぞれは自身の観念上の円錐１３と一致する。このように、示された具体例では、６つの異なる円錐１３が、６つの異なるベアリング表面５の形状を支持して計算された。図５ｂおよび５ｃでは、明確化のために、それらの円錐１３の１つのみが示される。コンピュータ支援製造技術を用いて、図５ａのテール部分１を作製することが可能である。
【００２８】
図５ｃでは、観念上の円錐１３が直上から示され、テール部分１の中心に対する軸のずれが明確に分かる。
【００２９】
提案された解決手段は１つだけのセクションに配置されたフィンを含む従来の技術に関する多くの長所を有する。第１に、十分な全フィン面積を達成するために非常に小さい空間が得られる技術的解決が可能となる。さらに、全フィン面積を維持しながら弾丸の中心からフィン３の最大広がり、即ち全長が増加する。正確な回転速度まで弾丸が回転するのに必要な時間が低減され、さらに１つのフィンセクションを含む解決では少なくとも５０％まで低減され、安定性のマージンが増加する。
【代わりの具体例】
【００３０】
図に示された具値例は、弾丸の長手方向に互いに隣り合って配置された２つのセクション２を有するが、既に上で述べたように、２つのより多くのフィン３を含むセクション２が互いに隣り合って配置された具体例も、本発明に含まれる。
【００３１】
フィン３の大きさおよび形状は、ベアリング表面５の形状により影響され、次に、観念上の円錐１３およびテール部分１の中心線に対するずれおよび角度により決定される。多くのベアリング表面５の異なる外観が、たとえ全ての変形が示されなくても、これらの原理の範囲内で達成可能である。フィン３の形状および大きさは、探し求められる弾丸の特徴に依存して変わりうるが、ベアリング表面５の形状および大きさにより自然に制限される。
【００３２】
テール部分の周方向のフィンシャフト６の配置も、また多くの方法で変形しうる。図面では、フィンシャフト６がテール部分１の周囲で均等に分割された配置が示される。図３を参照しながら上で既に示したように、弾丸に望まれる特徴に依存して、多くの他の変形が想像できる。配置の一例では、フィン３およびフィンシャフト６がセクション２の中で周方向に対称に配置されるが、異なるセクションのフィン３は短く配置され、異なるセクション２からフィン３を含むグループが形成される。３つのフィンの２つの列では、それぞれのセクションまたはセグメントの３つのフィンの間の分離角度は１２０°である。２つの列は、互いに非対称に配置され、２つのフィンの間の分離角度は６０°ではなく、それぞれのペアに対して例えば７０°および５０°である。この方法では、所定の応用で、非常に良好な結果が達成される。
【００３３】
フィン３のグループ化を行う他の方法は、セクション毎のグループをフィンが形成するようにすることである。
【００３４】
他の具体例を達成するためにさらなる変形の選択肢は、所定のセクション２がより多くのフィン３を備え、一方、他のセクション２はより少ないフィン３を有するものである。フィン３の大きさは、また、例えば１つのセクション２のフィン３が、他のセクション２より矛盾無く大きくなるという事実によって互いに変形可能である。
【００３５】
ベアリング表面５に向かって締められた場合にフィン３を覆う円筒形のスリーブは、所定の具体例では分離された構成とすることができるが、カートリッジケースの一部として形成しても良い。カートリッジケースは、弾丸の多くのまたは少ない部分を覆い、発射薬や添加薬を含む。カートリッジケースは、発射の所定の段階で弾丸から分離し、フィン３は原則として同時に裸になり、弾丸が銃身を離れるやいなや展開する。
【００３６】
記載したさまざまな具体例は、更なる具体例を形成するために、所望の弾丸の特徴を達成するために、当業者の計算および試験の範囲内で、他の具体例と自由に組み合わせることができる。
【００３７】
本発明は、添付する特許請求の範囲の範囲内でさらに変形可能である。
【図１】
2021502534.tif 000003
【図２】
2021502534.tif 000004
【図３】
2021502534.tif 000005
【図４ａ】
2021502534.tif 000006
【図４ｂ】
2021502534.tif 000007
【図５ａ】
2021502534.tif 000008
【図５ｂ】
2021502534.tif 000009
【図５ｃ】
2021502534.tif 000010
【国際調査報告】
2021502534.tif 000011
2021502534.tif 000012
2021502534.tif 000013
2021502534.tif 000014
2021502534.tif 000015
2021502534.tif 000016